(57)【要約】【課題】フィラメントの一部が断線しても電子を放出することができるＸ線管装置を提供することを目的とする。【解決手段】全灯通電加熱用脚部を通常時の通電加熱用脚部２１，２２として用いるとともに、半灯通電加熱用脚部を断線時の通電加熱用脚部２３，２４として用いる。これにより、同一のフィラメントが２つの通電経路を有するように構成される。通常時においては、平板フィラメント２０は脚部２１，２２から通電し、中央部分の近傍（断線箇所ＤＣ）にて断線が発生すると、リレー３３を用いて、中央部分に繋がる一番近い１対の脚部２３，２４を短絡する。これによって、脚部２１→脚部２４→リレー３３の接点→脚部２３→脚部２２の経路で電流が流れ、フィラメントの周辺部分だけを点灯することが可能となる。その結果、平板フィラメント２０の一部が断線しても電子を放出することができる。【選択図】図５
2015115139.tif 000002
【特許請求の範囲】
【請求項１】
同一のフィラメントが複数の通電経路を有するように構成されたＸ線管装置であって、
フィラメントが断線した場合に当該断線箇所に近い通電経路を外部でリレーにて短絡するように構成し、断線箇所以外の通電経路にてフィラメントを点灯するように構成した、Ｘ線管装置。
【請求項２】
請求項１に記載のＸ線管装置において、
通常時における通電経路から見て、電源を介して端部から通電する通電加熱用の端子を端部端子として１対備えるとともに、
前記通常時における通電経路から見て、途中で分岐する通電加熱用の端子を分岐端子として１対備え、
前記分岐端子間で前記フィラメントが断線した場合に、当該断線箇所に近い分岐端子の１対を外部で前記リレーにて互いに短絡するように構成することで、前記電源，一方の端部端子，当該一方の端部端子に近い一方の分岐端子，リレーの接点，他方の分岐端子，当該他方の分岐端子に近い他方の端部端子，前記電源で通電経路を形成して前記フィラメントを点灯するように構成した、Ｘ線管装置。
【請求項３】
請求項１に記載のＸ線管装置において、
通常時における通電経路から見て、電源を介して端部から通電する通電加熱用の端子を端部端子として１対備えるとともに、
前記通常時における通電経路から見て、途中で分岐する通電加熱用の端子を分岐端子として１対備え、
一方の端部端子・当該一方の端部端子に近い一方の分岐端子間で前記フィラメントが断線した場合に、当該断線箇所に近い前記一方の端部端子および前記一方の分岐端子を外部で前記リレーにて互いに短絡するように構成することで、前記電源，前記一方の端部端子，リレーの接点，前記一方の分岐端子，他方の分岐端子，当該他方の分岐端子に近い他方の端部端子，前記電源で通電経路を形成して前記フィラメントを点灯するように構成した、Ｘ線管装置。
【請求項４】
請求項１に記載のＸ線管装置において、
前記フィラメントの全面を点灯する全灯通電加熱用の端子を１対備えるとともに、
前記フィラメントの全面よりも狭い領域のみを点灯する半灯通電加熱用の端子を１対または複数対備え、
通常時において、前記フィラメント全面を点灯する際には前記全灯通電加熱用の端子から通電するとともに、前記フィラメントの全面よりも狭い領域のみを点灯する際には前記半灯通電加熱用の端子から通電し、
前記半灯通電加熱用の端子間で前記フィラメントが断線した場合に、当該断線箇所に近い半灯通電加熱用の端子の一対を外部で前記リレーにて互いに短絡するように構成することで、前記全灯通電加熱用の端子に電気的に接続された電源，一方の全灯通電加熱用の端子，当該一方の全灯通電加熱用の端子に近い一方の半灯通電加熱用の端子，リレーの接点，他方の半灯通電加熱用の端子，当該他方の半灯通電加熱用の端子に近い他方の全灯通電加熱用の端子，当該電源で通電経路を形成して前記フィラメントを点灯するように構成するとともに、
一方の半灯通電加熱用の端子・当該一方の半灯通電加熱用の端子に近い一方の全灯通電加熱用の端子間である周辺部分で断線した場合に、前記フィラメントの全面よりも狭い領域のみを点灯する時と同様に、前記半灯通電加熱用の端子から通電することにより、前記半灯通電加熱用の端子に電気的に接続された電源，一方の半灯通電加熱用の端子，他方の半灯通電加熱用の端子，当該電源で通電経路を形成して前記フィラメントを点灯するように構成した、Ｘ線管装置。
【請求項５】
請求項１に記載のＸ線管装置において、
通常時における通電経路から見て、電源を介して端部から通電する通電加熱用の端子を端部端子として１対備えるとともに、
前記通常時における通電経路から見て、途中で分岐する通電加熱用の端子を分岐端子として複数対備え、
各々の前記分岐端子間で前記フィラメントが断線した場合に、当該断線箇所に近い分岐端子の一対を外部で前記リレーにて互いに短絡するように構成することで、断線箇所以外の通電経路にてフィラメントを点灯するように構成するとともに、
一方の端部端子・当該一方の端部端子に近い分岐端子間で前記フィラメントが断線した場合に、当該断線箇所に近い前記一方の端部端子および当該分岐端子を外部で前記リレーにて互いに短絡するように構成することで、断線箇所以外の通電経路にてフィラメントを点灯するように構成した、Ｘ線管装置。
【請求項６】
請求項１から請求項５のいずれかに記載のＸ線管装置において、
前記フィラメントからの焦点の大きさを制御する収束電極を備え、
当該収束電極に印加するバイアス電圧によってフィラメントからの電子を収束するように構成した、Ｘ線管装置。
【発明の詳細な説明】
【技術分野】
【０００１】
この発明は、フィラメントを有したＸ線管装置に係り、特に、フィラメントが断線した時の対処の技術に関する。
【背景技術】
【０００２】
外囲器回転型Ｘ線管は真空管全体が回転し、陽極はもちろんのことフィラメントからなる陰極も回転する。したがって、電子源であるフィラメントを回転中心に設け、偏向コイルにより電子流を偏向させて、陽極の周辺部に焦点を形成する。そして、真空管を回転させることにより陽極が常に回転し、焦点が陽極の特定箇所に集中して形成されることなく、過熱を防止することができる。焦点を小さく絞るためには、電子流の回転の振れを抑える必要があり、回転中心に１つの電子源しか有することができない。
【０００３】
従来技術による外囲器回転用フィラメントの構造について、図１０を参照して説明する。図１０（ａ）は１対の脚を持ったフィラメントの概略平面図であり、図１０（ｂ）は２対の脚を持ったフィラメントの概略平面図であり、ともに図中の破線箇所で９０°に折り曲げて、「コの字」形状にして使用する。特に、図１０（ｂ）は、同一のフィラメントが複数（図１０（ｂ）では２つ）の通電経路を有するように構成されている。
【０００４】
具体的には、図１０（ｂ）に示すように電子線出射面Ｐの付け根に４本の通電加熱用の脚部１０１〜１０４を有している。脚部１０１〜１０４を図中の破線箇所で９０°に折り曲げて、脚部１０１〜１０４からそれぞれ通電することで、電子線出射面Ｐを加熱し、電子線出射面Ｐから熱電子を放出させる。
【０００５】
脚部１０１〜１０４のうち、脚部１０１，１０２は、電子線出射面Ｐの全面の領域を通電加熱して電子線を出射する大焦点用の全灯に用いられる全灯通電加熱用脚部１０１，１０２である。一方、脚部１０１〜１０４のうち、脚部１０３，１０４は、電子線出射面Ｐの全面よりも狭い領域（図中の右上斜線のハッチングで示された領域を参照）のみを通電加熱して電子線を出射する小焦点用の半灯に用いられる半灯通電加熱用脚部１０３，１０４である。
【０００６】
医療用のＸ線管装置には、一般的にタングステンコイルまたはタングステン平板がフィラメントとして使用される。しかし、必要な管電流を得るための加熱温度が高く、タングステンが使用中に蒸発していき、フィラメントが最終的に断線してフィラメントの寿命を迎える。電子源がなくなればＸ線管はＸ線を照射することができず、Ｘ線管としても寿命を迎える。
【０００７】
通常、フィラメントは蒸発が進行すると抵抗値が増加し、フィラメント電圧が上昇することで断線を予想し、Ｘ線管の交換時期を使用者に知らせることが可能であるが、抵抗値が変わらないのにフィラメントが突発的に断線に至ることもあり得る。そこで、複数のフィラメントを備え、フィラメント電流やフィラメント電圧を常に検出し、フィラメントの断線が生じたら使用していないフィラメントに切り換えるのが一般的である（例えば、特許文献１参照）。
【先行技術文献】
【特許文献】
【０００８】
【特許文献１】特開平０８−２９３３９５号公報
【発明の概要】
【発明が解決しようとする課題】
【０００９】
上述したようにフィラメントが突発的に断線することがあり、特に臨床中にフィラメントが突発的に断線してＸ線管が完全に使用不能となることを避けたい。そこで、上述した特許文献１：特開平０８−２９３３９５号公報のようにフィラメント電流やフィラメント電圧を常に検出し、フィラメントの断線が生じたら使用していないフィラメントに切り換えることで臨床中でもＸ線管を継続的に使用することが可能である。その一方で、外囲器回転型Ｘ線管を採用する場合においては、上述したように焦点を小さく絞るためには回転中心に１つの電子源しか有することができないという別の課題がある。
【００１０】
この発明は、このような事情に鑑みてなされたものであって、フィラメントの一部が断線しても電子を放出することができるＸ線管装置を提供することを目的とする。
【課題を解決するための手段】
【００１１】
この発明は、このような目的を達成するために、次のような構成をとる。
すなわち、この発明に係るＸ線管装置は、同一のフィラメントが複数の通電経路を有するように構成されたＸ線管装置であって、フィラメントが断線した場合に当該断線箇所に近い通電経路を外部でリレーにて短絡するように構成し、断線箇所以外の通電経路にてフィラメントを点灯するように構成したものである。
【００１２】
［作用・効果］この発明に係るＸ線管装置によれば、同一のフィラメントが複数の通電経路を有するように構成された場合において、フィラメントが断線した場合に当該断線箇所に近い通電経路を外部でリレーにて短絡するように構成し、断線箇所以外の通電経路にてフィラメントを点灯するように構成する。その結果、フィラメントの一部が断線しても電子を放出することができる。
【発明の効果】
【００１３】
この発明に係るＸ線管装置によれば、フィラメントが断線した場合に当該断線箇所に近い通電経路を外部でリレーにて短絡するように構成し、断線箇所以外の通電経路にてフィラメントを点灯するように構成するので、フィラメントの一部が断線しても電子を放出することができる。
【図面の簡単な説明】
【００１４】
【図１】実施例に係るＸ線装置のブロック図である。
【図２】実施例に係るＸ線管装置の概略図である。
【図３】実施例に係る平板フィラメントの概略平面図および周辺の回路図である。
【図４】平板フィラメント，収束電極および平板フィラメント・収束電極間のバイアス電圧に関する回路図である。
【図５】中央部分が断線した場合の点灯状態を併せて図示した平板フィラメントの概略平面図および周辺の回路図である。
【図６】変形例に係る平板フィラメントの概略平面図および周辺の回路図である。
【図７】さらなる変形例に係る３対（６本）の通電加熱用の脚部を有した平板フィラメントの概略平面図である。
【図８】さらなる変形例に係る中央部分以外の箇所が断線した場合の平板フィラメントの概略平面図および周辺の回路図である。
【図９】さらなる変形例に係る半灯通電加熱用脚部を兼用した構成の平板フィラメントの概略平面図および周辺の回路図である。
【図１０】（ａ）は１対の脚を持ったフィラメントの概略平面図、（ｂ）は２対の脚を持ったフィラメントの概略平面図である。
【実施例】
【００１５】
以下、図面を参照してこの発明の実施例を説明する。
図１は、実施例に係るＸ線装置のブロック図であり、図２は、実施例に係るＸ線管装置の概略図であり、図３は、実施例に係る平板フィラメントの概略平面図および周辺の回路図であり、図４は、平板フィラメント，収束電極および平板フィラメント・収束電極間のバイアス電圧に関する回路図であり、図５は、中央部分が断線した場合の点灯状態を併せて図示した平板フィラメントの概略平面図および周辺の回路図である。
【００１６】
本実施例に係るＸ線装置は、図１に示すように、Ｘ線を照射するＸ線管装置１と、Ｘ線管装置１を制御する周辺回路３とを備えている。その他にも、Ｘ線管装置１から照射されて被検体（図示省略）を透過したＸ線を検出するフラットパネル型Ｘ線検出器（ＦＰＤ）（図示省略）や、ＦＰＤで検出されたＸ線に基づく画像処理を行ってＸ線画像を取得する画像処理部（図示省略）などの構成を備えている。これらの構成については、特徴部分あるいは特徴部分に関連した構成でないので、その説明については省略する。
【００１７】
なお、撮影を行う場合には、通常の線量でＸ線管装置１から被検体にＸ線を１回照射して、画像処理部にて取得されたＸ線画像を出力する。透視を行う場合には、撮影のときよりも少ない線量でＸ線管装置１から被検体にＸ線を連続的に照射し、画像処理部にてそれぞれ取得された各々のＸ線画像をモニタ（図示省略）に連続的に出力する。また、断層撮影を行う場合には、Ｘ線管装置１やＦＰＤ、被検体の少なくともいずれか一方を移動させて、Ｘ線管装置１やＦＰＤを被検体に対して相対的に移動させながら、Ｘ線管装置１から被検体にＸ線を連続的に照射し、画像処理部にてそれぞれ取得された各々のＸ線画像に対して再構成処理を行い、断層画像を出力する。
【００１８】
Ｘ線管装置１は、図２に示すように、外囲器１０および外囲器１０に収容される陰極１１や陽極１２で構成されている。また、主として陰極１１は平板フィラメント２０および収束電極２５で構成されている。本実施例に係る平板フィラメントの具体的な構成については、図３〜図５で後述する。なお、Ｘ線管装置１については、図２に示すような電子線Ｂの光軸に対して直交方向からＸ線を取り出すタイプに限定されず、電子線Ｂの光軸に沿って平行にＸ線を透過させたタイプであってもよい。
【００１９】
Ｘ線管装置１の周辺において、Ｘ線管装置１を制御する周辺回路３は、図３に示すように、交流電源３１（図５も参照）と変圧器（トランス）３２（図５も参照）とを備えている。さらに、平板フィラメント２０が断線した場合に当該断線（Disconnection）箇所（図５では「ＤＣ」で表記）に近い通電経路を短絡するリレー３３や、後述するバイアス電源３４（図４を参照）を備えている。変圧器３２の一次側電流を調整して平板フィラメント２０に通電する二次電流を調整する。
【００２０】
本実施例では、平板フィラメント２０は、図３や図５に示すように円形の形状を有しており、円形の電子出射面Ｐの付け根に２対（４本）の通電加熱用の脚部２１〜２４を有している。脚部２１〜２４を図中の破線箇所で９０°に折り曲げて、脚部２１〜２４からそれぞれ通電することで、電子線出射面Ｐを加熱し、電子線出射面Ｐから熱電子を放出させる。電子線出射面Ｐから放出された熱電子（図２の電子線Ｂを参照）が、陽極１２（図２を参照）に衝突することで、Ｘ線（図２では「Ｘｒａｙ」で表記）を発生する。本実施例では、脚部２１，２２は、通常時における通電経路から見て、交流電源３１を介して端部から通電する通電加熱用の端子であり、この発明における端部端子に相当する。また、脚部２３，２４は、通常時における通電経路から見て、途中で分岐する通電加熱用の端子であり、この発明における分岐端子に相当する。
【００２１】
このように平板フィラメント２０としては、複数の通電経路を有する構造を採用する。本実施例では、図３や図５に示すように、４本の通電加熱用の脚部２１〜２４を有しており、同一のフィラメントが２つの通電経路を有するように構成されている。さらに、端部端子として脚部２１，２２を１対備えるとともに、分岐端子として脚部２３，２４を１対備えている。図１０（ｂ）での全灯通電加熱用脚部１０１，１０２を、本実施例では図３や図５に示すように通常時の通電加熱用脚部２１，２２として用いる。それに対して、図１０（ｂ）での半灯通電加熱用脚部１０３，１０４を、本実施例では図３や図５に示すように断線時の通電加熱用脚部２３，２４として用いる。なお、本実施例では、図５に示すように分岐端子間として脚部２３，２４間にある電子線出射面Ｐの中央部分が断線するとして（すなわち断線箇所ＤＣを電子線出射面Ｐの中央部分として）以下を説明する。
【００２２】
また、図２や図４に示すように、収束電極２５は平板フィラメント２０を収納するように構成されている。収束電極２５は平板フィラメント２０からの焦点の大きさを制御するように構成されており、平板フィラメント２０および収束電極２５をバイアス電源３４で電気的に接続する。平板フィラメント２０および収束電極２５をバイアス電源３４で電気的に接続することにより、平板フィラメント２０・収束電極２５間のバイアス電圧を印加する。平板フィラメント２０を基準電位とすると、収束電極２５に負のバイアス電圧を印加する。
【００２３】
本実施例の場合には、通常時においては、平板フィラメント２０は脚部２１，２２から通電して、図３に示すように平板フィラメント２０全体（図中の右上斜線のハッチングで示された領域を参照）を加熱して使用する。交流電源３１では交流電流を調整し、変圧器３２を介して脚部２１，２２に給電を行う。フィラメントの温度分布は平面内でほぼ均一であるが、中央部分の温度が若干高い。フィラメントを長時間使用した後、フィラメントの蒸発が進行すると中央部分の近傍にて断線が発生する（図５の断線箇所ＤＣを参照）。なお、脚部２１，２２を流れる電流（フィラメント電流）を常時モニタリングすることで、断線の検出を容易に行うことができる。
【００２４】
中央部分で断線が発生した場合には、中央部分に繋がる一番近い１対の脚部を外部でリレー３３を用いて短絡する。図５では、中央部分に繋がる一番近い１対の脚部は、脚部２３，２４であるので、リレー３３を用いて脚部２３，２４を短絡する。その状態では、交流電源３１→脚部２１→脚部２４→リレー３３の接点→脚部２３→脚部２２→交流電源３１の経路で電流が流れ、フィラメントの周辺部分だけを点灯することが可能となる（図中の右上斜線のハッチングで示された領域を参照）。
【００２５】
このとき、断線時の点灯範囲は通常時も点灯している部分であるが、周辺部分からのみの電子で焦点を形成するので、通常時の焦点サイズよりも断線時の焦点サイズの方が大きくなる。よって、Ｘ線画像の画質に影響するが、緊急時（例えば臨床中）の透視を行える状態を確保することはできる。
【００２６】
より好ましくは、収束電極２５に（例えば−数１００Ｖ程度の）負のバイアス電圧を印加する。このように収束電極２５に印加するバイアス電圧によって平板フィラメント２０からの電子を収束する。これによって、焦点を小さくすることで、断線時においても、断線前と同様の通常時における焦点のサイズにまで制御することができる。
【００２７】
本実施例に係るＸ線管装置１によれば、同一のフィラメントが複数（本実施例では２つ）の通電経路を有するように構成された場合において、平板フィラメント２０が断線（図５では中央部分が断線）した場合に当該断線箇所ＤＣに近い通電経路（図５では脚部２３，２４）を外部でリレー３３にて短絡するように構成し、断線箇所ＤＣ以外の通電経路（図５では交流電源３１→脚部２１→脚部２４→リレー３３の接点→脚部２３→脚部２２→交流電源３１の経路）にて平板フィラメント２０を点灯するように構成する。その結果、平板フィラメント２０の一部が断線しても電子を放出することができる。
【００２８】
１つのフィラメントしかないＸ線管ではフィラメントが断線するとＸ線を照射することができないが、本実施例のＸ線管装置１では緊急対応用として透視程度のＸ線を照射することができる。よって、例えば臨床中に平板フィラメント２０が断線した場合でも、継続した臨床を行うことが可能となる。
【００２９】
また、外囲器回転型Ｘ線管を採用する場合においては、焦点を小さく絞るためには回転中心に１つの電子源しか有することができない。それに対して、本実施例では、図１０（ｂ）での全灯通電加熱用脚部１０１，１０２を、図３や図５では通常時の通電加熱用脚部２１，２２として用いて、図１０（ｂ）での半灯通電加熱用脚部１０３，１０４を、図３や図５では断線時の通電加熱用脚部２３，２４として用いるので、２つの通電経路を有した平板フィラメント２０となる。よって、この平板フィラメント２０を備えたＸ線管装置１を外囲器回転型Ｘ線管に用いたとしても、回転中心に１つの平板フィラメント２０（電子源）を有しつつ、平板フィラメント２０の一部が断線しても電子を放出することができる。
【００３０】
本実施例では、上述したように、通常時における通電経路から見て、電源（図３や図５では交流電源３１）を介して端部から通電する通電加熱用の端子を端部端子（図３や図５では脚部２１，２２）として１対備えるとともに、通常時における通電経路から見て、途中で分岐する通電加熱用の端子を分岐端子（図３や図５では脚部２３，２４）として１対備えている。分岐端子（脚部２３，２４）間でフィラメント（本実施例では平板フィラメント２０）が断線した場合（図５では中央部分が断線した場合）に、当該断線箇所ＤＣに近い分岐端子（脚部２３，２４）の１対を外部でリレー３３にて互いに短絡するように構成することで、電源（交流電源３１），一方の端部端子（ここでは脚部２１），当該一方の端部端子（脚部２１）に近い一方の分岐端子（ここでは脚部２４），リレー３３の接点，他方の分岐端子（ここでは脚部２３），当該他方の分岐端子（脚部２３）に近い他方の端部端子（ここでは脚部２２），電源（交流電源３１）で通電経路を形成してフィラメント（平板フィラメント２０）を点灯するように構成している。
【００３１】
本実施例では、好ましくは、平板フィラメント２０からの焦点の大きさを制御する収束電極２５に印加するバイアス電圧によって平板フィラメント２０からの電子（図２の電子線Ｂを参照）を収束するように構成している。このようにバイアス電圧を印加することにより焦点を小さくすることで、断線時においても、断線前と同様の通常時における焦点のサイズにまで制御することができる。
【００３２】
この発明は、上記実施形態に限られることはなく、下記のように変形実施することができる。
【００３３】
（１）上述した実施例では、フィラメントを用いたＸ線管装置の具体的な構成については特に限定されない。例えば、陽極がそれを収容する外囲器と一体となって回転する外囲器回転型医用Ｘ線管や、それ以外の医用Ｘ線管や、工業用の大焦点Ｘ線管に適用することができる。
【００３４】
（２）上述した実施例では、Ｘ線管装置に適用したが、Ｘ線を発生せずに電子線を出射する電子源に適用してもよい。
【００３５】
（３）上述した実施例では、被検体を診断する医用Ｘ線装置であってもよいし、非破壊検査装置に用いられる工業用Ｘ線装置であってもよい。
【００３６】
（４）上述した実施例では、平板フィラメントを例に採って説明したが、必ずしも電子線出射面が平板状である必要はない。ただし、平板状の電子線出射面を有した平板フィラメントの方が、平板フィラメントを水平面に固定することができ、焦点を精度良く制御することができる。また、通電加熱用の端子は、９０°に折り曲げた脚部であったが、必ずしも脚部に限定されない。
【００３７】
（５）上述した実施例では、平板フィラメント２０は、図３や図５に示すように円形の形状を有していたが、円形に限定されない。例えば、図６に示すように長方形の形状を有したフィラメント（図６では平板フィラメント２０）においても同様に適用することができる。この場合、通常は脚部２１´，２２´から通電して、図６に示すように平板フィラメント２０全体（図中の右上斜線のハッチングで示された領域を参照）を加熱して使用する。中央部分の近傍にて断線が発生した後（図６では断線箇所の図示省略）、リレー３３を用いて脚部２３´，２４´を短絡することで、断線箇所を除く部分を点灯することが可能となる。
【００３８】
（６）上述した実施例では、同一フィラメント（実施例では平板フィラメント）が２つの通電経路を有するように構成されていたが、複数の通電経路であれば、同一フィラメントが３つ以上の通電経路を有するように構成されていてもよい。例えば、図７に示すように、電子出射面（図７では長方形の電子出射面Ｐ）の付け根に３対（６本）の通電加熱用の脚部２１´〜２６´を有してもよい。図７では周辺回路（交流電源や変圧器（トランス）やリレー）の図示を省略する。図７の場合においては、脚部２１´，２２´は、通常時における通電経路から見て、交流電源（図７では図示省略）を介して端部から通電する通電加熱用の端子であり、この発明における端部端子に相当する。また、脚部２３´〜２６´は、通常時における通電経路から見て、途中で分岐する通電加熱用の端子であり、この発明における分岐端子に相当する。なお、中央部分の近傍に例示されるように各々の分岐端子間でフィラメント（平板フィラメント）が断線した場合に、当該断線箇所に近い分岐端子の一対を外部でリレーにて互いに短絡するように構成することで、断線箇所以外の通電経路にてフィラメント（平板フィラメント）を点灯するように構成する。これに対して、一方の端部端子・当該一方の端部端子に近い分岐端子間（脚部２１´，２４´間または脚部２２´，２３´間）である周辺部分でフィラメント（平板フィラメント）が断線した場合に、当該断線箇所に近い一方の端部端子および当該分岐端子（脚部２１´，２４´または脚部２２´，２３´）を外部でリレーにて互いに短絡するように構成することで、断線箇所以外の通電経路にてフィラメント（平板フィラメント）を点灯するように構成する。
【００３９】
（７）上述した実施例では、中央部分の近傍に例示されるように分岐端子（図５では脚部２３，２４）間にて断線（図５の断線箇所ＤＣを参照）が発生するような設計であったが、設計によっては中央部分以外の箇所に例示されるように分岐端子間以外の箇所が断線することもあり得る。例えば、分岐端子間以外の箇所（中央部分以外の箇所）が断線する場合として、図８に示すように脚部２１´，２４´（一方の端部端子・当該一方の端部端子に近い一方の分岐端子）の間で断線が発生した場合（図８の断線箇所ＤＣを参照）には、当該断線箇所ＤＣに近い脚部の２１´，２４´を、リレー３３Aを用いて短絡する。こうすることで交流電源３１→脚部２１´→リレー３３Ａの接点→脚部２４´の経路で電流が流れて、脚部２４´から脚部２２´までを点灯することが可能である。これに対して、一方の端部端子を脚部２２´として、当該一方の端部端子に近い一方の分岐端子を脚部２３´として、逆の脚部２２´と脚部２３´との間で断線した場合、同様にリレー３３Ｂを短絡して、脚部２１´と脚部２３´との間を点灯することが可能となる。なお、上述した変形例（６）のように同一フィラメントが３つ以上の通電経路を有するように構成（すなわち端部端子を１対，分岐端子を複数対備えて構成）した場合においても、同様に適用することができる。
【００４０】
（８）上述した実施例では、図３や図５に示す脚部２３，２４は断線時の通電加熱用脚部のみに用いられていたが、図１０（ｂ）のように半灯通電加熱用脚部を兼用してもよく、図９のように脚部２３，２４間で電源３５を電気的に接続するとともに、リレー３３を接続することも可能である。こうすることで、中央部分に例示されるように半灯通電加熱用の端子（脚部２３，２４）間でフィラメント（平板フィラメント２０）が断線した場合、実施例で述べた通りに、リレー３３を短絡することで周辺部分のみ点灯することができる。これに対して、一方の半灯通電加熱用の端子・当該一方の半灯通電加熱用の端子に近い一方の全灯通電加熱用の端子（脚部２１，２４または脚部２２，２３）間である周辺部分で断線した場合には、フィラメント（平板フィラメント２０）の全面よりも狭い領域のみを点灯する時と同様に、半灯通電加熱用の端子（脚部２３，２４）に通電することで中央部分のみ点灯することができ、どの箇所で断線しても点灯が可能となる。なお、図９中の符号３５は、半灯通電加熱用の端子（脚部２３，２４）に電気的に接続された交流電源であり、符号３６は、交流電源３５に結合された変圧器（トランス）である。図９は円形の形状の場合であるが、長方形の形状を有した場合についても同様である。なお、上述した変形例（６）のように同一フィラメントが３つ以上の通電経路を有するように構成（すなわち全灯通電加熱用の端子を１対，半灯通電加熱用の端子を複数対備えて構成）した場合においても、同様に適用することができる。
【００４１】
（９）上述した実施例では、収束電極２５に印加するバイアス電圧によって平板フィラメント２０からの電子を収束して焦点を小さくしたが、透過のみを行う場合には必ずしも収束電極２５にバイアス電圧を印加する必要はない。すなわち、収束電極２５にバイアス電圧を印加しない場合には、通常時の焦点サイズよりも断線時の焦点サイズの方が大きくなるが、緊急時（例えば臨床中）の透視を行える状態を確保することはできる。
【００４２】
（１０）上述した実施例では、収束電極２５は平板フィラメント２０を収納するように構成されていたが、必ずしも収束電極はフィラメントを収納する構造でなくてもよい。
【産業上の利用可能性】
【００４３】
以上のように、この発明は、Ｘ線管装置や電子源の他に、Ｘ線透視装置やＸ線撮影装置などのＸ線装置に適している。
【符号の説明】
【００４４】
１  …  Ｘ線管装置
２０  …  平板フィラメント
２５  …  収束電極
２１，２２  …  通常時の通電加熱用脚部
２３，２４  …  断線時の通電加熱用脚部
３１  …  交流電源
３３  …  リレー
３４  …  バイアス電源
ＤＣ  …  断線箇所
【図１】
2015115139.tif 000003
【図２】
2015115139.tif 000004
【図３】
2015115139.tif 000005
【図４】
2015115139.tif 000006
【図５】
2015115139.tif 000007
【図６】
2015115139.tif 000008
【図７】
2015115139.tif 000009
【図８】
2015115139.tif 000010
【図９】
2015115139.tif 000011
【図１０】
2015115139.tif 000012